(57)【要約】【課題】            閉鎖動作中に、剛体部の閉鎖方向端部がストッパー部とガイドレールとの間に食い込んでしまうのを防ぐ。【解決手段】        開閉体２０とガイドレール３０とを備え、開閉体２０の開放方向側部分を剛体部２１により構成するとともに、同開閉体２０の閉鎖方向側部分を可撓性シート部２２により構成し、可撓性シート部２２が着座対象部位ｐに当接して全閉した際に、剛体部２１の閉鎖方向側端部をガイドレール３０に固定されたストッパー部４０により受けて、開閉体２０の閉鎖動作を停止するようにした開閉装置において、剛体部２１の幅方向端部側には凸部２１ｂが設けられ、ストッパー部４０の開閉体開放方向側の部分には、凸部２１ｂを受ける平坦面部４１と、可撓性シート部２２を開閉体厚さ方向へ逃がして閉鎖方向へ導く凸曲面状またはテーパー状の案内部４２とが具備されている。【選択図】          図１
2008308909.tif 000002
【特許請求の範囲】
【請求項１】
収納部から繰り出されて閉鎖動作する開閉体と、該開閉体の幅方向の端部側を閉鎖方向へ案内するガイドレールとを備え、前記開閉体の開放方向側部分を剛体部により構成するとともに、同開閉体の閉鎖方向側部分を可撓性シート部により構成し、前記可撓性シート部が着座対象部位に当接して全閉した際に、前記剛体部を前記ガイドレールに固定されたストッパー部により受けて、前記開閉体の閉鎖動作を停止するようにした開閉装置において、
前記剛体部の幅方向端部側には、該剛体部から突出する凸部が設けられ、
前記ストッパー部の開閉体開放方向側の部分には、前記凸部を受ける平坦面部と、前記可撓性シート部を開閉体厚さ方向へ逃がして閉鎖方向へ導く凸曲面状またはテーパー状の案内部とが具備されていることを特徴とする開閉装置。
【請求項２】
前記開閉体は、前記可撓性シート部の開閉体幅方向の寸法を、前記複数のスラットの開閉体幅方向の寸法よりも短くして、前記可撓性シート部の幅方向端部を、前記剛体部の幅方向端部に対し凹ませており、
前記凸部は、前記凹み部分に位置するように、前記剛体部から閉鎖方向へ突出して設けられ、
前記案内部は、前記凸部を受けるように配置された前記平坦面部に対し開閉体幅方向に並ぶ位置であって、且つ前記可撓性シート部に対し開閉体厚さ方向に重なり合う位置に配置されていることを特徴とする請求項１記載の開閉装置。
【請求項３】
前記案内部を前記平坦面部よりも開放方向へ突出させるとともに、その突出寸法を、前記凸部の突出寸法よりも小さく設定したことを特徴とする請求項１又は２記載の開閉装置。
【発明の詳細な説明】
【技術分野】
【０００１】
本発明は、閉鎖方向側部分に可撓性シート部を有する開閉体によって空間を仕切るようにした開閉装置に関するものである。
【背景技術】
【０００２】
従来、この種の発明には、例えば特許文献１に記載されたもののように、上部側に位置する剛体部（鋼製シャッター３）と下部側に位置する可撓性シート部（耐火シート４）とを連結して開閉体（扉体１）を構成し、この開閉体をガイドレールのガイド溝に嵌め合わせて開閉動作させるようにした開閉装置がある。
この従来の開閉装置によれば、閉鎖動作中の開閉体がその下方側の障害物に当接した場合であっても、可撓性シート部が撓むため、開閉体から前記障害物に伝わる押圧力を軽減することができる。
【０００３】
ところで、前記従来技術のような構造の開閉装置では、閉鎖動作中の開閉体を全閉位置で停止する際、図６に示すように、剛体部１１０の下端部（具体的には最下端側のスラット）を、ガイドレール１２０に固定されたストッパー部１３０により受けるとともに、可撓性シート部１４０を、前記ストッパー部１３０上端の凸曲部１３１によって開閉体厚さ方向側に逃がして下方へ導くようにしている。
このような構造では、閉鎖動作中、剛体部１１０の下端部が、ストッパー部１３０によりうまく受け止められずに、ストッパー部１３０とガイドレール１２０内面との間に食い込み、可撓性シート部１４０に皺や撓みを生じ、ひいては、全閉時の閉鎖性を損ねてしまったり、前記食い込みにより開閉体の開放動作が不能になったり等するおそれがある。
【特許文献１】特開平１１−３１３９０１号公報
【発明の開示】
【発明が解決しようとする課題】
【０００４】
本発明は上記従来事情に鑑みてなされたものであり、その課題とする処は、閉鎖動作中に、剛体部の閉鎖方向端部がストッパー部とガイドレールとの間に食い込んでしまうのを防ぐことができる開閉装置を提供することにある。
【課題を解決するための手段】
【０００５】
上記課題を解決するために本発明に係る技術的手段は、収納部から繰り出されて閉鎖動作する開閉体と、該開閉体の幅方向の端部側を閉鎖方向へ案内するガイドレールとを備え、前記開閉体の開放方向側部分を剛体部により構成するとともに、同開閉体の閉鎖方向側部分を可撓性シート部により構成し、前記可撓性シート部が着座対象部位に当接して全閉した際に、前記剛体部を前記ガイドレールに固定されたストッパー部により受けて、前記開閉体の閉鎖動作を停止するようにした開閉装置において、前記剛体部の幅方向端部側には、該剛体部から突出する凸部が設けられ、前記ストッパー部の開閉体開放方向側の部分には、前記凸部を受ける平坦面部と、前記可撓性シート部を開閉体厚さ方向へ逃がして閉鎖方向へ導く凸曲面状またはテーパー状の案内部とが具備されていることを特徴とする。
【０００６】
更なる技術的手段によれば、前記開閉体は、前記可撓性シート部の開閉体幅方向の寸法を、前記複数のスラットの開閉体幅方向の寸法よりも短くして、前記可撓性シート部の幅方向端部を、前記剛体部の幅方向端部に対し凹ませており、前記凸部は、前記凹み部分に位置するように、前記剛体部から閉鎖方向へ突出して設けられ、前記案内部は、前記凸部を受けるように配置された前記平坦面部に対し開閉体幅方向に並ぶ位置であって、且つ前記可撓性シート部に対し開閉体厚さ方向に重なり合う位置に配置されていることを特徴とする。
【０００７】
更なる技術的手段によれば、前記案内部を前記平坦面部よりも開放方向へ突出させるとともに、その突出寸法を、前記凸部の突出寸法よりも小さく設定したことを特徴とする。
【０００８】
なお、本発明に係わる開閉装置には、開閉体が閉鎖動作のみを行うように用いられる態様（例えば、非常時のみ遮煙や遮炎等の目的で閉鎖されるシャッター装置等）や、開閉体が開放動作と閉鎖動作との双方を行うように用いられる態様等を含む。
更に、この開閉装置には、開閉体を巻取り軸に巻き取って収納するようにした態様や、開閉体を巻取り軸に巻き取ることなくその開放方向側に収納するようにした態様等を含む。
【０００９】
また、本明細書中において「開閉体厚さ方向」とは、閉鎖状態の上記開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
【発明の効果】
【００１０】
本発明は、以上説明したように構成されているので、以下に記載されるような作用効果を奏する。
閉鎖動作中の開閉体が全閉する際、可撓性シート部が案内部により開閉体厚さ方向へ逃がされて閉鎖方向へ導かれ、剛体部から閉鎖方向へ突出する凸部が、ストッパー部の平坦面部により受けられる。
したがって、剛体部の閉鎖方向端部がストッパー部とガイドレールとの間に食い込むようなことを防ぐことができる。
【発明を実施するための最良の形態】
【００１１】
以下、本発明の実施の形態を図面に基づいて説明する。
本実施の形態は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として適用可能であるが、特に好ましい態様として、火災等の非常時に自動閉鎖されて火炎や煙の蔓延を防ぐ防火シャッター装置に適用した一例について説明する。
【００１２】
この開閉装置１は、収納部１０から繰り出されて閉鎖動作する開閉体２０と、該開閉体２０の幅方向の端部側を閉鎖方向へ案内するガイドレール３０とを備え、開閉体２０の全閉時に、該開閉体２０の開放方向側部分を構成する剛体部２１をストッパー部４０によって受けるように構成してある。
【００１３】
収納部１０は、下部側に開閉体２０を出没させるための開口部を有する収納ケース１１内に、開閉体２０を巻き取ったり繰出したりする巻取軸１２と、該巻取軸１２をチェーン及びスプロケット等の動力伝達手段（図示せず）を介して電動で巻き取る開閉機１３と、該開閉機１３の出力軸を防災信号に応じて自由回転可能にする自動閉鎖装置（図示せず）とが具備されている。
この収納部１０によれば、図示しない制御部が防災信号を受け、該制御部から開閉体２０を閉鎖させるための指令が発せられると、開閉機１３の出力軸及び巻取軸１２が自由回転可能な状態となり、巻取軸１２に巻かれた開閉体２０が、自重によって下方へ繰り出され、閉鎖動作することになる。
【００１４】
なお、収納部１０の他例としては、前記収納ケース１１を備えずに巻取軸１２を露出している態様や、開閉体２０を巻き取ることなく開放方向側へ収納する態様等とすることも可能である。
【００１５】
また、開閉体２０は、その開放方向側の部分を構成する剛体部２１と、該剛体部２１よりも閉鎖方向側の部分を構成する可撓性シート部２２と、該可撓性シート部２２における最も閉鎖方向側の端部（図示例によれば最下端部）に接続された座板部材２３とから構成され、剛体部２１の開放方向側の端部（図示例によれば上端部）を巻取軸１２の外周面に止着している。
【００１６】
剛体部２１は、横長略矩形状の金属板を曲げ加工してなる所謂スラット２１ａを、上下に隣接する該スラット２１ａ，２１ａ間で回動するように複数連接してなり、これら複数のスラット２１ａの内の最下端側のスラット２１ａにおける開閉体幅方向の両端側には、閉鎖方向へ突出する凸部２１ｂが固定されている。この凸部２１ｂは、下端に平坦面を有する形状を呈し、溶接やネジ止め、嵌合等の固定手段によって前記スラット２１ａの簡単に止着されている。
【００１７】
また、可撓性シート部２２は、耐火性を有するとともに比較的軽量なシリカクロスからなる。なお、この可撓性シート部２２の材質の他例としては、ガラスクロスや、フッ素加工を施した塩化ビニル樹脂シート材、ガラス繊維を含んだ合成樹脂シート材等とすることも可能である。
なお、当該開閉装置１が防炎目的に使用されない場合等には、この可撓性シート部２２の材質を、耐火性を有しない可撓性シート材、例えば、塩化ビニルやポリエステル樹脂や、木綿や絹等の天然素材等としてもよい。更に、可撓性シート部２２の材質の他例としては、ワイヤーメッシュや、前記材料を適宜に組み合わせたもの等としてもよい。
この可撓性シート部２２は、複数のシート材を縦方向や横方向、あるいは斜め方向等に接続して構成してもよいし、一枚のシート材により構成してもよい。
【００１８】
この可撓性シート部２２は、剛体部２１よりも幅方向（図１における左右方向）の寸法が小さく設定されるとともに、剛体部２１の幅方向略中央側に寄せて配置される。
したがって、剛体部２１と可撓性シート部２２との境目には段部が形成され、可撓性シート部２２の幅方向端部が、剛体部２１の幅方向端部よりも、開閉体幅方向の中央寄りに凹んだ状態となる。そして、この凹み部分には、剛体部２１下端の上記凸部２１ｂが下方向きに配置されることになる。
【００１９】
そして、可撓性シート部２２は、図３に示すように、その上端部側が、最下端側のスラット２１ａと、該スラット２１ａの裏面側に止着される止着部材２１ｃとの間にサンドイッチ状に挟まれる。
前記止着部材２１ｃは、断面柄杓状を呈する金属板材であり、その凹状部分をスラット２１ａ下端のカール状部分に嵌め合わせて止着されることで、可撓性シート部２２を固定している。
【００２０】
また、上記構成の可撓性シート部２２の下端側には、全閉時に着座対象部位ｐ（例えば床面や地面、枠部材等）に当接させるための座板部材２３が接続されている。
【００２１】
また、ガイドレール３０は、着座対象部位ｐと収納部１０との間にわたる長尺状に構成され、開閉体２０の横幅方向の端部を囲むガイド溝３１（図３参照）を有する。
ガイド溝３１は、断面略凹状に形成され、図示例によれば、ガイドレール３０の上下方向の略全長にわたって開閉体厚さ方向の幅寸法が略一定に設定されている。
【００２２】
なお、ガイド溝３１の他例としては、下端側の可撓性シート部２２に対応する部分のみ、開閉体厚さ方向の寸法を小さくし、可撓性シート部２２とガイドレール３０との間の気密性を向上するようにしてもよい。
この場合、前記寸法の小さい部分は、ガイドレール３０下端側のガイド溝３１内にスペーサ等を設けることで構成してもよいし、ストッパー部４０の下端側を下方へ延設した構成としてもよい。
【００２３】
また、ガイドレール３０における前記ガイド溝３１内の下端側には、前記開閉体２０の座板部材２３が着座対象部位ｐに当接して、開閉体２０が全閉した際に、剛体部２１の閉鎖動作を停止するストッパー部４０が固定されている。
このストッパー部４０は、図４に特に詳細に示すように、その開閉体開放方向側（図示例によれば上側）の部分に、剛体部２１下端の前記凸部２１ｂを受ける平坦面部４１と、可撓性シート部２２を開閉体厚さ方向へ逃がして閉鎖方向へ導く上向きの凸曲面状の案内部４２とを有する。
更に、このストッパー部４０は、その開閉体閉鎖方向側（図示例によれば下側）の部分に、可撓性シート部２２の開放動作を良好にするための下向きの凸曲面状の案内部４３を有する。
【００２４】
平坦面部４１は、剛体部２１の凸部２１ｂを受けるように、その開閉体幅方向の位置が凸部２１ｂに対応するように設定されている。
【００２５】
また、案内部４２は、平坦面部４１に対し開閉体幅方向に並ぶ位置であって、且つ可撓性シート部２２に対し開閉体厚さ方向に重なり合う位置に配置され、平坦面部４１よりも開閉体開放方向へ突出している（図２参照）。
そして、この案内部４２の突端側（上端側）における可撓性シート部２２に面する部分は、断面略Ｒ加工状（換言すれば断面略扇形状）の凸曲面に形成されている。
なお、案内部４２の他例としては、上記凸曲面状の構成に代えて、テーパー面状の構成としてもよい。また、下端側の案内部４３についても同様にテーパー面状とすることが可能である。
【００２６】
また、平坦面部４１に対する案内部４２の突出寸法ａは、剛体部２１における下方向きの凸部２１ｂの突出寸法ｂよりも小さく設定されている。
この構成によれば、案内部４２の上端と剛体部２１の下端との間に空間ｃが確保されるため、剛体部２１の下端が案内部４２とガイド溝３１側面との間に食い込むようなことを効果的に防ぐことができる。
【００２７】
また、ストッパー部４０下端側の案内部４３は、少なくとも可撓性シート部２２と開閉体厚さ方向に重なり合う位置に形成されていればよく、図示例によればストッパー部４０における開閉体幅方向の略全長にわたって形成される。
この案内部４３の突端側（下端側）における可撓性シート部２２に面する部分は、断面略Ｒ加工状（換言すれば断面略扇形状）の凸曲面に形成されている。
【００２８】
そして、ストッパー部４０の開閉体厚さ方向の寸法は、ストッパー部４０とガイド溝３１側面との間に可撓性シート部２２を遊挿させるように、適宜に設定されている。
なお、ストッパー部４０の材質、及び上記凸部２１ｂの材質は、金属材料や硬質の合成樹脂材、木材など、剛体部２１の重量および衝撃に耐えうる強度を有するものであればよい。
また、このストッパー部４０は、その固定手段が特に限定されるものでなく、例えば、ガイドレール３０内壁面に対し、ネジやボルト、リベット等の止着具によって止着された態様、あるいは、嵌合や、接着、溶接等により止着された態様等とすることが可能である。
同様に、凸部２１ｂの固定手段も、例えば、スラット２１ａ下端部や止着部材２１ｃの下端に対し、ネジやボルト、リベット等の止着具によって止着された態様、あるいは、嵌合や、接着、溶接等により止着された態様等とすることが可能である。
【００２９】
次に、上記構成の開閉装置１について、その特徴的な作用効果を詳細に説明する。
開閉体２０の閉鎖動作中、開閉体２０の下端側が着座対象部位ｐに近づくと、可撓性シート部２２がストッパー部４０における上側の案内部４２によって開閉体厚さ方向へ逃がされながら下方へ導かれる。
そして、開閉体２０の最下端部（具体的には座板部材２３）が着座対象部位ｐに当接して、開閉体２０が略全閉状態になると、剛体部２１から下方へ突出する凸部２１ｂが、ストッパー部４０の平坦面部４１に受けられ、開閉体２０の閉鎖動作が停止する。
よって、剛体部２１の閉鎖方向端部（座板部材２３）が、ストッパー部４０とガイドレール３０のガイド溝３１側面との間に食い込むようなことを防ぐことができる。
【００３０】
また、開閉体２０を全閉状態から開放動作させた際には、可撓性シート部２２や座板部材２３がストッパー部４０に干渉して、その開放動作に支障が生じるようなことを防ぐことができる。すなわち、開放動作の際、可撓性シート部２２及び座板部材２３は、ストッパー部４０の下向きの案内部４３に導かれながら、ストッパー部４０とガイド溝３１側面との間を上方へスムーズに移動する。
【００３１】
なお、開閉装置１によれば、凸部２１ｂをスラット２１ａとは別体の部材としたが、この凸部２１ｂの他例としては、最下端のスラット２１ａのみを、凸部２１ｂを一体に有する形状とすることも可能である。
【００３２】
また、開閉装置１によれば、ストッパー部４０が着座対象部位ｐから離間して部分的に設けられているが、他例としては、ストッパー部４０の下端側を着座対象部位ｐまで長尺状に延設させることも可能である。
【００３３】
また、開閉装置１では、凸部２１ｂを剛体部２１の最下端に設けるとともに、ストッパー部４０を全閉状態の開閉体２０の下端寄りに配置したが、他例としては、凸部２１ｂを剛体部２１の上下方向の途中箇所に設け、該凸部２１ｂをストッパー部４０によって受ける構成とすることも可能である。
すなわち、例えば、図５に示す開閉装置の一例では、全閉状態で収納ケース１１のまぐさ部１１ａ内に位置するスラット２１ａに対し、略直方体状の凸部２１ｄを開閉体厚さ方向へ突出するように固定するとともに、まぐさ部１１ａの内面にストッパー部６０を固定している。
図示例のストッパー部６０は、凸部２１ｄを受ける平坦面部６１と、該平坦面部６１に対し開閉体幅方向に並ぶ上向き凸曲面状またはテーパー状の案内部６２（図５の二点鎖線部分参照）と、下向き凸曲面状またはテーパー状の案内部６３とによって、上述したストッパー部４０と同様の形状に構成されている。また、他例としては、前記ストッパー部６０から前記案内部６２を省いた態様とすることも可能である。
【００３４】
また、上記実施の形態に付加する構成として、開閉体２０の閉鎖方向端部が障害物に当接したことをセンサーにより感知し、その感知信号に応じて開閉体２０の閉鎖動作を停止する手段を備えてもよい。
【００３５】
また、上記実施の形態において、上記剛体部２１は、開閉体２０において開放方向側の剛性を有する部位であればよく、その一例として複数のスラット２１ａを連接してなる態様を示したが、他例としては、剛体部２１を、単数もしくは複数のパネルまたはパイプや、これらの組み合わせ等によって構成することも可能である。
【００３６】
また、上記実施の形態では、開閉機１３の駆動によって開閉体２０を開閉動作させる自動駆動式としているが、開閉体２０を自重や手動によって開閉動作させる非自動駆動式の態様や、あるいは開放動作と閉鎖動作との内の一方の動作を自動駆動式とするとともに他方の動作を非自動駆動式とした態様などとすることも可能である。
【００３７】
また、上記実施の形態では、特に図２に良く示されるように、可撓性シート部２２の幅方向（図示の左右方向）の端部が、凸部２１ｂと案内部４２との間に位置するようにしているが、可撓性シート部２２の幅方向の端部が凸部２１ｂと平坦面部４１との間に挟まってしまうようなことを、より効果的に防止するには、可撓性シート部２２の幅方向の端部が、案内部４２の幅方向寸法内に位置する態様（すなわち図２において二点鎖線で示す可撓性シート部２２の端部が案内部４２に重なり合った態様）としてもよい。
【図面の簡単な説明】
【００３８】
【図１】本発明に係わる開閉装置の一例を示す正面図であり、要部を切欠して示している。
【図２】同開閉装置の要部拡大図であり、可撓性シート部の一部を切欠して内部構造を示している。
【図３】同開閉装置の要部斜視図であり、ガイドレールを切欠して内部構造を示している。
【図４】ストッパー部の一例を示す斜視図である。
【図５】他の開閉装置の一例を示す断面図である。
【図６】従来の開閉装置の一例を示す要部斜視図であり、ガイドレールを切欠して内部構造を示している。
【符号の説明】
【００３９】
１０：収納部                ２０：開閉体
２１：剛体部                ２１ａ：スラット
２１ｂ：凸部                ２２：可撓性シート部
３０：ガイドレール          ４０：ストッパー部
４１：平坦面部              ４２，４３：案内部
ｐ：着座対象部位
【図１】
2008308909.tif 000003
【図２】
2008308909.tif 000004
【図３】
2008308909.tif 000005
【図４】
2008308909.tif 000006
【図５】
2008308909.tif 000007
【図６】
2008308909.tif 000008